Podtech/llm-jp-corpus-v4-ja_patent huggingface dataset:
【手続補正書】
【提出日】平成16年6月9日(2004.6.9)
【手続補正１】
【補正対象書類名】明細書
【補正対象項目名】請求項１
【補正方法】変更
【補正の内容】
【請求項１】
ペダル板と作動杆から成る左右一対のペダル部の前記作動杆の前端部を、基台の前端部に設けた水平支持軸の両端部にそれぞれ回動可能に取り付け、前記基台に立設したブラケットに前後方向に揺動支持軸を取り付け、該揺動支持軸に揺動杆を左右方向に向けて揺動可能に軸支し、前記作動杆を前記揺動杆の両端部によって上下方向位置を規制して前記ペダル部が交互に上下動するように構成し、前記基台と前記各作動杆の間には、足踏み運動の踏込み抵抗力を与えるためのダンパ装置を連結し、前記作動杆と揺動杆との間を摺接機構を介して接触させた足踏み運動機において、前記摺接機構は、前記両作動杆にそれぞれ平行に配置したスライドピンに上部摺接体を摺動かつ回動自在に挿入し、前記揺動杆の両端部に下部摺接体を摺動かつ回動自在に挿入し、前記下部摺接体により前記上部摺接体を接触支持し、前記上部、下部摺接体同士の接触部は平坦面に形成し、前記上部、下部摺接体が前記平坦部同士により面接触するようにしたことを特徴とする足踏み運動機。
【手続補正２】
【補正対象書類名】明細書
【補正対象項目名】０００９
【補正方法】変更
【補正の内容】
【０００９】
【課題を解決するための手段】
上記目的を達成するための本発明に係る足踏み運動機は、ペダル板と作動杆から成る左右一対のペダル部の前記作動杆の前端部を、基台の前端部に設けた水平支持軸の両端部にそれぞれ回動可能に取り付け、前記基台に立設したブラケットに前後方向に揺動支持軸を取り付け、該揺動支持軸に揺動杆を左右方向に向けて揺動可能に軸支し、前記作動杆を前記揺動杆の両端部によって上下方向位置を規制して前記ペダル部が交互に上下動するように構成し、前記基台と前記各作動杆の間には、足踏み運動の踏込み抵抗力を与えるためのダンパ装置を連結し、前記作動杆と揺動杆との間を摺接機構を介して接触させた足踏み運動機において、前記摺接機構は、前記両作動杆にそれぞれ平行に配置したスライドピンに上部摺接体を摺動かつ回動自在に挿入し、前記揺動杆の両端部に下部摺接体を摺動かつ回動自在に挿入し、前記下部摺接体により前記上部摺接体を接触支持し、前記上部、下部摺接体同士の接触部は平坦面に形成し、前記上部、下部摺接体が前記平坦部同士により面接触するようにしたことを特徴とする。
【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
複数の図柄表示領域を有する図柄表示部を備え、これらの複数の図柄表示領域の図柄を変動させて、停止したときの図柄の組み合わせが予め定める組み合わせとなった場合に、遊技者に有利な特別遊技を実行可能な遊技機であって、
図柄が変動している上記複数の図柄表示領域のうち、一の図柄表示領域を除く他の図柄表示領域に、上記一の図柄表示領域に所定の図柄が停止すれば上記予め定める組み合わせとなるようなリーチ図柄を停止させるリーチ図柄停止手段と、
上記他の図柄表示領域にリーチ図柄が停止された後、上記一の図柄表示領域に図柄が停止されるまでの間に、遊技を盛り上げるための複数種別のリーチ演出を実行可能なリーチ演出実行手段と、
上記複数種別のリーチ演出のうち、所定の時点からその時までに既に実行されているリーチ演出を、まだ実行されていないリーチ演出と区別して報知するためのリーチ種別履歴報知手段とを含むことを特徴とする遊技機。
【請求項２】
上記複数種別のリーチ演出に対応して、それぞれのリーチ演出が既に実行されている旨を表示可能な複数のリーチ種別履歴表示領域をさらに含み、
上記リーチ種別履歴報知手段は、リーチ演出が実行された場合に、その後の遊技において、そのリーチ演出が既に実行されている旨を対応するリーチ種別履歴表示領域に表示させるものであることを特徴とする請求項１記載の遊技機。
【請求項３】
上記リーチ種別履歴報知手段は、実行されたリーチ演出に対応するシンボルを上記リーチ種別履歴表示領域に表示させるものであることを特徴とする請求項２記載の遊技機。
【請求項４】
複数の図柄表示領域を有する図柄表示部を備え、これらの複数の図柄表示領域の図柄を変動させて、停止したときの図柄の組み合わせが予め定める組み合わせとなった場合に、遊技者に有利な特別遊技を実行可能な遊技機であって、
図柄が変動している上記複数の図柄表示領域のうち、一の図柄表示領域を除く他の図柄表示領域に、上記一の図柄表示領域に所定の図柄が停止すれば上記予め定める組み合わせとなるようなリーチ図柄を停止させるリーチ図柄停止手段と、
上記他の図柄表示領域にリーチ図柄が停止された後、上記一の図柄表示領域に図柄が停止されるまでの間に、遊技を盛り上げるための複数種別のリーチ演出を実行可能なリーチ演出実行手段と、
上記複数種別のリーチ演出に対応付けて区分され、それぞれのリーチ演出が既に実行されている旨の表示、または、それぞれのリーチ演出がまだ実行されていない旨の表示のいずれかを表示可能な複数のリーチ種別履歴表示領域と、
所定の時点からその時までにまだ実行されていないリーチ演出が実行された場合に、そのリーチ演出がまだ実行されていない旨が表示されている対応するリーチ種別履歴表示領域の表示を、そのリーチ演出が既に実行されている旨の表示に更新するリーチ種別履歴報知手段とを含むことを特徴とする遊技機。
【請求項５】
上記リーチ種別履歴報知手段は、上記所定の時点からその時までに既に実行されているリーチ演出が実行された場合には、そのリーチ演出が既に実行されている旨が表示されている対応するリーチ種別履歴表示領域の表示を、その表示のまま更新しないことを特徴とする請求項４記載の遊技機。
【手続補正２】
【補正対象書類名】明細書
【補正対象項目名】００１３
【補正方法】変更
【補正の内容】
【００１３】
請求項３記載の発明は、上記リーチ種別履歴報知手段（３１、Ｓ１７）は、実行されたリーチ演出に対応するシンボル（ＣＡ〜ＣＦ）を上記リーチ種別履歴表示領域（１２２Ａ〜１２２Ｆ）に表示させるものであることを特徴とする請求項２記載の遊技機である。
この構成によれば、実行されたリーチ演出に対応するシンボル（例えばリーチ演出時に出現したキャラクター）がリーチ種別履歴表示領域に表示されるので、どの種別のリーチ演出が既に実行されているかを遊技者に分かりやすく報知することができる。
請求項４記載の発明は、複数の図柄表示領域（１２Ｌ〜１２Ｒ）を有する図柄表示部（１２）を備え、これらの複数の図柄表示領域の図柄を変動させて、停止したときの図柄の組み合わせが予め定める組み合わせとなった場合に、遊技者に有利な特別遊技を実行可能な遊技機であって、図柄が変動している上記複数の図柄表示領域のうち、一の図柄表示領域（１２Ｃ）を除く他の図柄表示領域（１２Ｌ、１２Ｒ）に、上記一の図柄表示領域に所定の図柄が停止すれば上記予め定める組み合わせとなるようなリーチ図柄を停止させるリーチ図柄停止手段（３１、Ｓ８）と、上記他の図柄表示領域にリーチ図柄が停止された後、上記一の図柄表示領域に図柄が停止されるまでの間に、遊技を盛り上げるための複数種別（リーチＡ〜リーチＦ）のリーチ演出を実行可能なリーチ演出実行手段（３１、Ｓ１０）と、上記複数種別のリーチ演出に対応付けて区分され、それぞれのリーチ演出が既に実行されている旨の表示、または、それぞれのリーチ演出がまだ実行されていない旨の表示のいずれかを表示可能な複数のリーチ種別履歴表示領域（１２２Ａ〜１２２Ｆ）と、所定の時点からその時までにまだ実行されていないリーチ演出が実行された場合に、そのリーチ演出がまだ実行されていない旨が表示されている対応するリーチ種別履歴表示領域の表示を、そのリーチ演出が既に実行されている旨の表示に更新するリーチ種別履歴報知手段（３１、Ｓ１７）とを含むことを特徴とする遊技機である。
請求項５記載の発明は、上記リーチ種別履歴報知手段（３１、Ｓ１７）は、上記所定の時点からその時までに既に実行されているリーチ演出が実行された場合には、そのリーチ演出が既に実行されている旨が表示されている対応するリーチ種別履歴表示領域の表示を、その表示のまま更新しないことを特徴とする請求項４記載の遊技機である。
【手続補正書】
【提出日】平成17年4月14日(2005.4.14)
【手続補正１】
【補正対象書類名】明細書
【補正対象項目名】０００９
【補正方法】変更
【補正の内容】
【０００９】
ストッパー１の後面部１２は、フランジ嵌合溝１３の後面を構成する部分であり、図６に示すように、フランジ嵌合溝１３に挿着され嵌合されたフランジ２１部分の後面を被覆している。また、後面部１２はバレル２の内側方向に突出するストッパー機能部分１２１を有しており、ガスケット（図示していない）の脱落を防いでいる。このストッパー機能部分１２１には、好ましくは、ストッパー機能を確実にするために左右一対の脚部１２２を設けてもよい。脚部１２２の形状は、バレル２後端の開口部分を狭めるものであれば特に限定されない。尚、１２３は係合溝１１２を形成するために、金型を後面部１２方向から飛び込ませるための開口部である。
【手続補正２】
【補正対象書類名】明細書
【補正対象項目名】符号の説明
【補正方法】変更
【補正の内容】
【符号の説明】
１  ストッパー
１１  前面部
１１１  円弧状端面
１１２  係合溝
１２  後面部
１２１  ストッパー機能部分
１２２  脚部
１２３  開口部
１３  フランジ嵌合溝
２  バレル
２１  フランジ
２１１  係合突起
２２  胴部
【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
内部に洗濯物を収容するドラムと、該ドラムに温風を供給するヒータ及び送風ファンからなる温風供給手段と、該温風供給手段を制御して乾燥運転を実行する運転制御手段とを備えた乾燥洗濯機において、
前記洗濯物の布質を判別する布質判別手段が設けられ、
前記運転制御手段は、布質判別手段による布質判別結果に応じて、前記温風供給手段の運転条件を変化させることを特徴とする乾燥洗濯機。
【請求項２】
前記運転制御手段は、布質判別結果に応じて、前記送風ファンの回転数を変化させることを特徴とする請求項１に記載の乾燥洗濯機。
【請求項３】
前記運転制御手段は、布質判別結果に応じて、前記ヒータの入力電圧を変化させることを特徴とする請求項１に記載の乾燥洗濯機。
【請求項４】
内部に洗濯物を収容するドラムと、該ドラムに温風を供給する温風供給手段と、前記ドラムから排出された水分を含んだ温風を冷却水で冷却して除湿する冷却器と、前記温風供給手段及び冷却器を制御して乾燥運転を実行する運転制御手段とを備えた乾燥洗濯機において、
前記洗濯物の容量を判定する容量判定手段が設けられ、
前記運転制御手段は、容量判定手段による容量判定結果に応じて、前記冷却器の冷却水量を変化させることを特徴とする乾燥洗濯機。
【請求項５】
内部に洗濯物を収容するドラムと、該ドラムに温風を供給する温風供給手段と、前記ドラムから排出された水分を含んだ温風を冷却水で冷却して除湿する冷却器と、前記温風供給手段及び冷却器を制御して乾燥運転を実行する運転制御手段とを備えた乾燥洗濯機において、
前記洗濯物の布質を判別する布質判別手段が設けられ、
前記運転制御手段は、布質判別手段による布質判別結果に応じて、前記冷却器の冷却水量を変化させることを特徴とする乾燥洗濯機。
【請求項６】
前記布質判別手段は、給水時間の差から布質を判別することを特徴とする請求項１又は５に記載の乾燥洗濯機。
【請求項７】
前記布質判別手段は、給水量の差から布質を判別することを特徴とする請求項１又は５に記載の乾燥洗濯機。
【手続補正２】
【補正対象書類名】明細書
【補正対象項目名】００２０
【補正方法】変更
【補正の内容】
【００２０】
【課題を解決させる為の手段】
上記目的を達成するため、本発明は、布質を判別する布質判別手段と、この布質判別結果から乾燥運転の運転条件を変える運転制御手段とを備え、布質に応じて乾燥運転条件を変えようとするものである。
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
遊戯者が操作する操作手段と、ゲーム画像を表示する表示部とを備えた電子遊戯装置において、前記表示部は、遊戯者が操作手段を操作して選択する麻雀牌の画像が１４個一列に表示され、前記麻雀牌の画像は、２個、３個、３個、３個、３個ごとに色によってグループ分けされて表示されており、前記操作手段は前記麻雀牌の画像に対応して複数設けられており、かつ、前記グループ分けした色に対応して前記操作手段も色分けされていることを特徴とする電子遊戯装置。
【請求項２】
遊戯者が操作する操作手段と、ゲーム画像を表示する表示部とを備えた電子遊戯装置において、前記表示部は、遊戯者が操作手段を操作して選択する麻雀牌の画像が一列に表示され、前記麻雀牌の画像は、複数の色によってグループ分けされて表示されており、前記操作手段は前記麻雀牌の画像に対応して複数設けられており、かつ、前記グループ分けした色に対応して前記操作手段も色分けされていることを特徴とする電子遊戯装置。
【請求項３】
前記表示部の表示画面の下方に、複数の麻雀牌の画像が一列に配列されて表示されるとともに、この麻雀牌の画像がスクリーンによって覆われ、
前記操作手段の操作端末は、前記麻雀牌の画像の配列に対応した複数のスイッチ手段の配列を備え、
前記スイッチ手段は前記麻雀牌の画像の配列に近接して配置されている請求項１又は２記載の電子遊戯装置。
【請求項４】
前記操作手段が、ボタンスイッチからなる前記スイッチ手段を傾斜した状態で配置した本体を有し、前記表示部が、前記本体に対して傾斜した状態で設けられ、前記ボタンスイッチは押下された際に、そのボタンスイッチの傾斜が前記表示部の傾斜に等しくなるように回動可能に構成されている、請求項３記載の電子遊戯装置。
【請求項５】
前記スクリーンは、前記表示部の表示画面の少なくとも一部を覆うものである請求項３又は４記載の電子遊戯装置。
【請求項６】
前記スクリーンは、正面からは前記表示画面を視認でき、正面外からは前記表示画面を視認困難な材料から構成され、当該スクリーンを前記表示画面と離間しながら、これに近接して配置できるように当該スクリーンを前記操作手段に取り付けてなる、請求項５記載の電子遊戯装置。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
超音波を送受信する探触子と、前記探触子に供給する送受波信号を制御する超音波送受信部と、前記探触子で受波した反射波から超音波ビームを形成し、表示手段に断層像を表示させる手段とを有する超音波診断装置において、
被検体に当接される前記探触子の押し圧力に応じて変化する生体表面と関心部位との間隔を演算する手段と、前記演算出力に基づいて前記間隔から前記関心部位の歪み量を演算する手段とを備えたことを特徴とする超音波診断装置。
【手続補正２】
【補正対象書類名】明細書
【補正対象項目名】００１３
【補正方法】変更
【補正の内容】
【００１３】
（１）超音波を送受信する探触子と、前記探触子に供給する送受波信号を制御する超音波送受信部と、前記探触子で受波した反射波から超音波ビームを形成し、表示手段に断層像を表示させる手段とを有する超音波診断装置において、被検体に当接される前記探触子の押し圧力に応じて変化する生体表面と関心部位との間隔を演算する手段と、前記演算出力に基づいて前記間隔から前記関心部位の歪み量を演算する手段とを備えた。
【手続補正３】
【補正対象書類名】明細書
【補正対象項目名】００１５
【補正方法】変更
【補正の内容】
【００１５】
ここで、演算手段が、探触子による圧力に応じて変化することとなる生体表面と関心部位との間隔を演算し、この演算結果に基づいて、演算手段が生体表面と関心部位との間隔の最大値及び最小値とから表示用の画像を形成し、表示手段に表示させる構成となっている、すなわち局部的に硬さの異なる部分を明瞭に区別した表示が可能となるので、検者による主観的判断が不要となり、客観的な超音波検査をすることが可能となる。その結果として、超音波検査の経験度合いによる検査時間等を均一化することができる。
【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
正面の略中央に配置され複数列で識別要素を変動させる識別要素変動手段を有し、前記複数列で変動する識別要素の特定の識別要素による一致の抽選の抽選結果と遊技者による前記識別要素変動手段における複数列の識別要素の変動の停止操作の操作結果とが一致したときに該抽選結果に応じた遊技を行なう遊技機であって、
前記複数列の識別要素の近傍に該複数列の識別要素の略全域に亘って配置され端部から入射した光を散乱と反射とによって側面から放出することにより発光する線状発光体と該線状発光体の少なくとも一端の略短部に配置され該線状発光体に向けて光を照射可能な光照射部とを有し、光による遊技の演出が可能な光演出手段と、
前記光による遊技の演出により前記抽選結果が遊技者に示唆されるよう前記光演出手段を制御する示唆制御手段と、
を備える遊技機。
【請求項２】
請求項１記載の遊技機であって、
前記光照射部は複数の色の光を照射可能に構成されてなり、
前記識別要素は色に基づいて識別可能な要素であり、
前記示唆制御手段は前記特定の識別要素による一致が抽選されたときに該特定の識別要素を識別可能な色によって前記光による遊技の演出が行なわれるよう制御する手段である
遊技機。
【請求項３】
請求項１記載の遊技機であって、
前記識別要素と色との関係を記憶する色関係記憶手段を備え、
前記光照射部は複数の色の光を照射可能に構成されてなり、
前記示唆制御手段は識別要素の一致が抽選されたときには該抽選結果に係る識別要素に関係付けられた色によって前記光による遊技の演出が行なわれるよう制御する手段である
遊技機。
【請求項４】
請求項１ないし３いずれか記載の遊技機であって、
前記識別要素と発光のパターンとの関係を記憶するパターン関係記憶手段を備え、
前記示唆制御手段は前記特定の識別要素による一致が抽選されたとき、該特定の識別要素に関係付けられた発光のパターンによって前記光による遊技の演出が行なわれるよう制御する手段である
遊技機。
【請求項５】
請求項１ないし４いずれか記載の遊技機であって、
前記光照射部は前記線状発光体の両端に配置された一対の光照射部であり、
前記示唆制御手段は前記一対の光照射部における光照射を光照射部毎に制御可能な手段である
遊技機。
【請求項６】
前記示唆制御手段は、前記一対の光照射部における一方の光照射部の光照射に対して他方の光照射部の光照射を所定のタイミングだけ遅延させることにより前記線状発光体に光が一方から他方へ流れる流れ発光が生じるよう前記一対の光照射部における光照射を制御可能な手段である請求項５記載の遊技機。
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
マッサージ機能を有する複数の脚保持部材を、脚の長さ方向に並べて成る脚載せ部と、
前記複数の脚保持部材を、脚の長さ方向にそれぞれ移動可能に支持する支持装置と、
前記複数の脚保持部材を、脚の長さ方向に所定の関係で相互に連動させる連動装置と
を備えたことを特徴とする脚マッサージ装置。
【請求項２】
前記連動装置は、前記支持装置上の原点から脚の長さ方向における前記複数の脚保持部材までの各距離を比例的に伸縮させるリンク機構を有する請求項１記載の脚マッサージ装置。
【請求項３】
最先端の脚保持部材には足裏の押し当て面が設けられている請求項１記載の脚マッサージ装置。
【請求項４】
前記脚保持部材は３個設けられ、脚の施療要所に対応して配置されている請求項２記載の脚マッサージ装置。
【請求項５】
前記リンク機構は、４点接続の四角形リンクを複数段に構成して各段ごとに対応する脚保持部材に接続され、各四角形リンクを脚の長さ方向に屈伸させることにより伸縮するものであって、その伸縮率が各段で異なる請求項２記載の脚マッサージ装置。
【請求項６】
前記脚載せ部の最先端の脚保持部材には足裏の押し当て面が設けられており、
前記押し当て面に付与される脚の力に抗する力を前記最先端の脚保持部材に付与するばねを備えた請求項１記載の脚マッサージ装置。
【請求項７】
前記支持装置の脚先側下端に車輪が取り付けられている請求項１記載の脚マッサージ装置。
【請求項８】
前記連動装置は、最先端の脚保持部材を足で押す動作に応じて前記複数の脚保持部材を相互に連動させる請求項１記載の脚マッサージ装置。
【手続補正２】
【補正対象書類名】明細書
【補正対象項目名】０００６
【補正方法】変更
【補正の内容】
【０００６】
上記脚マッサージ装置（請求項１）において、連動装置は、支持装置上の原点から脚の長さ方向における複数の脚保持部材までの各距離を比例的に伸縮させるリンク機構を有するものであってもよい（請求項２）。
この場合、原点から見た脚の施療部位までの距離が、脚の長さに応じて比例的に変化するという経験的事実に基づき、脚の長さに関わらず共通の施療部位に脚保持部材が移動する。
また、上記脚マッサージ装置（請求項１）において、最先端の脚保持部材には足裏の押し当て面が設けられていてもよい（請求項３）。
この場合、押し当て面に足裏を押し当てることにより、当該脚保持部材を移動させれば、他の脚保持部材が連動して移動する。
【手続補正３】
【補正対象書類名】明細書
【補正対象項目名】０００７
【補正方法】変更
【補正の内容】
【０００７】
また、上記脚マッサージ装置（請求項２）において、脚保持部材は３個設けられ、脚の施療要所に対応して配置されていることが好ましい（請求項４）。
この場合、３個の脚保持部材によって脚の施療要所をマッサージすることができる。
また、上記脚マッサージ装置（請求項２）において、リンク機構は、４点接続の四角形リンクを複数段に構成して各段ごとに対応する脚保持部材に接続され、各四角形リンクを脚の長さ方向に屈伸させることにより伸縮するものであって、その伸縮率が各段で異なるものであってもよい（請求項５）。
この場合、四角形リンクの屈伸により各脚保持部材が移動するが、伸縮率が各段で異なることにより、脚保持部材の移動量を微調節することができる。
【手続補正４】
【補正対象書類名】明細書
【補正対象項目名】０００８
【補正方法】変更
【補正の内容】
【０００８】
また、上記脚マッサージ装置（請求項１）において、脚載せ部の最先端の脚保持部材には足裏の押し当て面が設けられており、押し当て面に付与される脚の力に抗する力を最先端の脚保持部材に付与するばねを備えてもよい（請求項６）。
この場合、押し当て面に足裏を押し当てることにより、ばねの付与する力に抗して最先端の脚保持部材を移動させれば、当該脚保持部材は脚の長さに対応した位置に達する。また、脚載せ部から脚を降ろすことにより自動的に、脚保持部材が元の位置に復帰する。
【手続補正５】
【補正対象書類名】明細書
【補正対象項目名】０００９
【補正方法】変更
【補正の内容】
【０００９】
また、上記脚マッサージ装置（請求項１）において、支持装置の脚先側下端に車輪が取り付けられていてもよい（請求項７）。
この場合、脚保持部材を移動させるとき車輪が床についても、車輪の転動によって脚保持部材が円滑に移動する。
また、上記脚マッサージ装置（請求項１）において、連動装置は、最先端の脚保持部材を足で押す動作に応じて複数の脚保持部材を相互に連動させるようにしてもよい（請求項８）。
この場合、最先端の脚保持部材を足で押して複数の脚保持部材を相互に連動させることにより、各脚保持部材は脚の長さに対応した位置に達する。
【手続補正６】
【補正対象書類名】明細書
【補正対象項目名】００３０
【補正方法】変更
【補正の内容】
【００３０】
請求項２の脚マッサージ装置によれば、原点から見た脚の施療部位までの距離が、脚の長さに応じて比例的に変化するという経験的事実に基づき、脚の長さに関わらず共通の施療部位に脚保持部材を移動させて、マッサージを行うことができる。
請求項３の脚マッサージ装置によれば、押し当て面に足裏を押し当てることにより当該脚保持部材を移動させれば、他の脚保持部材が連動して移動するので、極めて容易に、脚の長さに合わせて脚保持部材の移動を行うことができる。
【手続補正７】
【補正対象書類名】明細書
【補正対象項目名】００３１
【補正方法】変更
【補正の内容】
【００３１】
請求項４の脚マッサージ装置によれば、３個の脚保持部材によって脚の施療要所を的確にマッサージすることができる。
請求項５の脚マッサージ装置によれば、伸縮率が各段で異なることにより、脚保持部材の移動量を微調節することができるので、施療要所へ的確に脚保持部材を移動させて、マッサージを行うことができる。
【手続補正８】
【補正対象書類名】明細書
【補正対象項目名】００３２
【補正方法】変更
【補正の内容】
【００３２】
請求項６の脚マッサージ装置によれば、押し当て面に足裏を押し当てることにより、ばねの付与する力に抗して最先端の脚保持部材を移動させれば、当該脚保持部材は脚の長さに対応した位置に達する。従って、脚の長さに合わせた装置側の長さ調節が簡単である。また、脚載せ部から脚を降ろすことにより自動的に脚保持部材が元の位置に復帰するので、元に戻す操作が一切不要であり便利である。
【手続補正９】
【補正対象書類名】明細書
【補正対象項目名】００３３
【補正方法】変更
【補正の内容】
【００３３】
請求項７の脚マッサージ装置によれば、脚保持部材を移動させるとき車輪が床についても、車輪の転動によって円滑な動作が行われ、脚保持部材の移動が妨げられることはない。
請求項８の脚マッサージ装置によれば、最先端の脚保持部材を足で押して複数の脚保持部材を相互に連動させることにより、各脚保持部材は脚の長さに対応した位置に達する。従って、施療要所へ的確に脚保持部材を移動させて、マッサージを行うことができる。
【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
ダイオキシン類等の有機塩素化合物で汚染された土壌ないしは粉体を水でスラリー化し、得られたスラリーを湿式分級して小石や鉄等の異物を除去し、
スラリーを乾燥しついで加熱してダイオキシン類等の有機塩素化合物および水銀を蒸発または分解する
ことを特徴とする汚染土壌等の無害化方法。
【請求項２】
スラリーの乾燥および加熱で生じた加熱固形物を急冷してダイオキシン類等の有機塩素化合物の再生成を防ぐことを特徴とする請求項１記載の汚染土壌等の無害化方法。
【請求項３】
スラリーの乾燥および加熱で生じた排ガスを水で直接的にまたは間接的に冷却して凝縮させ、生じた凝縮水にダイオキシン類等の有機塩素化合物、ＳＳ分、水銀等を集めることを特徴とする請求項１記載の汚染土壌等の無害化方法。
【請求項４】
凝縮水の少なくとも一部を濾過して沈殿水銀を除去し、その濾液をさらに濾過してダイオキシン類等の有機塩素化合物をＳＳ分と共に除去し、濾過水を処理して溶解性水銀を除くことを特徴とする請求項３記載の汚染土壌等の無害化方法。
【請求項５】
生じた処理水を加熱後の土壌に添加して土壌の急冷に利用するか、または急冷後の浄化土壌に添加して浄化土壌の含水率調整に利用することを特徴とする請求項４記載の汚染土壌等の無害化方法。
【請求項６】
凝縮後の排ガスを土壌の乾燥および加熱工程へ循環することを特徴とする請求項３記載の汚染土壌等の無害化方法。
【手続補正２】
【補正対象書類名】明細書
【補正対象項目名】０００６
【補正方法】変更
【補正の内容】
【０００６】    【課題を解決するための手段】  本発明による汚染土壌等の無害化方法は、  ダイオキシン類等の有機塩素化合物で汚染された土壌ないしは粉体を水でスラリー化し、得られたスラリーを湿式分級して小石や鉄等の異物を除去し、  スラリーを乾燥しついで加熱してダイオキシン類等の有機塩素化合物および水銀を蒸発または分解することを特徴とする。  本発明の好適な実施形態では、下記の操作が行われる；  ａ）上記方法において、スラリーの乾燥および加熱で生じた加熱固形物を急冷してダイオキシン類等の有機塩素化合物の再生成を防ぐ。  ｂ）上記方法において、スラリーの乾燥および加熱で生じた排ガスを水で直接的にまたは間接的に冷却して凝縮させ、生じた凝縮水にダイオキシン類等の有機塩素化合物、ＳＳ分、水銀等を集める。  ｃ）上記操作ｂ）において、凝縮水の少なくとも一部を濾過して沈殿水銀を除去し、その濾液をさらに濾過してダイオキシン類等の有機塩素化合物をＳＳ分と共に除去し、濾過水を処理して溶解性水銀を除く。  ｄ）上記操作ｃ）において、生じた処理水を加熱後の土壌に添加して土壌の急冷に利用するか、または急冷後の浄化土壌に添加して浄化土壌の含水率調整に利用する。  ｅ）上記操作ｂ）において、凝縮後の排ガスを土壌の乾燥および加熱工程へ循環する。
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
有機性廃液の嫌気性消化において、流入する有機性廃液中の固形成分を分散させ、該分散後の有機性廃液中の有機物を改質し、該改質後の有機性廃液を嫌気性消化を行なう槽に導入して嫌気性消化を行なう有機性廃液の処理方法。 
【請求項２】
有機性廃液の嫌気性消化において、嫌気性消化を行なう槽から引き抜いた消化汚泥または嫌気性消化を行なう槽の消化汚泥を固液分離した分離汚泥と、流入する有機性廃液とを混合し、該混合液中の固形成分を分散させ、該分散後の混合液中の有機物を改質し、該改質後の混合液を嫌気性消化を行なう槽に導入して嫌気性消化を行なう有機性廃液の処理方法。 
【請求項３】
嫌気性消化を行なう槽を備え有機性廃液の嫌気性消化を行なう装置であって、有機性廃液が流入され、流入された有機性廃液中の固形成分を分散させる分散装置と、該分散後の有機廃液中の有機物を改質する改質装置と、該改質後の有機性廃液を嫌気性消化を行なう槽に導入する導入装置とを備える有機性廃液の処理装置。 
【請求項４】
嫌気性消化を行なう槽を備え有機性廃液の嫌気性消化を行なう装置であって、嫌気性消化を行なう槽の消化汚泥を固液分離する汚泥分離装置と、嫌気性消化を行なう槽の消化汚泥または固液分離後の消化汚泥と有機性廃液が導入され、導入された混合液中の固形成分を分散させる分散装置と、該分散後の混合液中の有機物を改質する改質装置と、該改質後の混合液を嫌気性消化を行なう槽に導入する導入装置とを備える有機性廃液の処理装置。
【手続補正書】
【提出日】平成17年5月19日(2005.5.19)
【手続補正１】
【補正対象書類名】明細書
【補正対象項目名】０００４
【補正方法】変更
【補正の内容】
【０００４】
【発明が解決しようとする課題】
従来例では、精米済みの米穀を排出中に、検出機構が作動して精米用モータが緊急停止すると、前記シャッタは開いた状態を維持する。この状態で前記精米ホッパに米穀を投入すると、この投入された米穀は、取出口を通り抜け、白米容器内に流下する。そのため、白米容器内の白米と未精米の米穀とが混合するとともに、精米機が故障した、と誤解されてしまう。
【手続補正２】
【補正対象書類名】明細書
【補正対象項目名】００１４
【補正方法】変更
【補正の内容】
【００１４】
前記排出口６と取出口１３は、取出口開閉装置１４の前記シャッタ１５により仕切られている。この取出口開閉装置１４は、制御回路３０の指示により該シャッタ１５を開閉させる。
【手続補正３】
【補正対象書類名】図面
【補正対象項目名】図２
【補正方法】変更
【補正の内容】
【図２】
2004008867.tif 000001
【手続補正書】
【提出日】平成17年1月26日(2005.1.26)
【手続補正１】
【補正対象書類名】明細書
【補正対象項目名】請求項７
【補正方法】変更
【補正の内容】
【請求項７】
請求項５または６記載の洗浄槽を備えてなる洗浄装置において、前記洗浄槽あるいは転換層は、前記被洗浄物を槽内で載置する載置台を有することを特徴とする洗浄装置。
【手続補正２】
【補正対象書類名】明細書
【補正対象項目名】００１２
【補正方法】変更
【補正の内容】
【００１２】
請求項７記載の発明は、請求項５または６記載の洗浄槽を備える洗浄装置において、洗浄槽あるいは乾燥槽は、被洗浄物を槽内で載置する載置台を有することを特徴としている。洗浄槽あるいは乾燥槽の内部に搬送された被洗浄物（ワーク）は槽内でワーク保持アームから載置台へと載せ替えられる。
【手続補正３】
【補正対象書類名】明細書
【補正対象項目名】００３４
【補正方法】変更
【補正の内容】
【００３４】
請求項７記載の洗浄装置によると、洗浄槽あるいは乾燥槽の内部に搬送された被洗浄物（ワーク）を槽内でワーク保持アームから載置台へと載せ替えることができる。このため、被洗浄物とワーク保持治具との接触域やその周辺に付着している汚れを残らず落とし、あるいはすすぎ水を残らず蒸発させやすい。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
少なくとも所定の異常状態を教示可能な教示手段と、
前記教示手段による教示を解除可能な解除操作手段と、
前記解除操作手段の解除操作が行われたことを検出する検出手段と、
前記検出手段の検出結果に基づき前記教示手段による教示を解除制御する教示解除制御手段とを備えた遊技機であって、
前記解除操作手段を遊技機本体の前面側に設け、
前記解除操作手段の操作により、
所定の復帰条件が成立することで通常の遊技状態に自動復帰可能な第１の異常状態と、
所定の修復又は部品交換を必要とし、当該修復又は部品交換後にリセット手段によるリセット操作を行うことで通常の遊技状態に復帰可能な第２の異常状態と、
前記第１の異常状態及び第２の異常状態以外の第３の異常状態とのうち、
前記第３の異常状態の教示を解除可能としたことを特徴とする遊技機。
【請求項２】
前記リセット手段は、本体の裏面側に設けられていることを特徴とする請求項１に記載の遊技機。
【請求項３】
前記本体は、外形を画定する外枠と、
前記外枠の一側部にて開閉可能に支持された前面枠と、
前記前面枠の前面側に設けられた透明部材扉体とを備え、
前記前面枠及び透明部材扉体のうち少なくとも一方の前面側に、前記解除操作手段を設けたことを特徴とする請求項１又は２に記載の遊技機。
【請求項４】
前記解除操作手段と、前記外枠に対する前記前面枠の施錠状態を解錠するための解錠手段とは、１つの錠によって構成されていることを特徴とする請求項３に記載の遊技機。
【請求項５】
前記解除操作手段と、前記前面枠に対する前記透明部材扉体の施錠状態を解錠するための解錠手段とは、１つの錠によって構成されていることを特徴とする請求項３又は４に記載の遊技機。
【請求項６】
前記外枠に対する前記前面枠の施錠状態を解錠するための解錠手段と、前記前面枠に対する前記透明部材扉体の施錠状態を解錠するための解錠手段と、前記解除操作手段とは、１つの錠によって構成されており、
前記錠の錠軸の鍵穴にキーを差し込み第１の操作を行うことで前記外枠に対する前記前面枠の施錠状態が解錠され、前記錠の錠軸の鍵穴にキーを差し込み第２の操作を行うことで前記前面枠に対する前記透明部材扉体の施錠状態が解錠され、少なくとも前記錠の錠軸の鍵穴にキーを差し込んだ状態で第３の操作を行うことに基づき少なくとも前記異常状態の教示が解除されるよう構成したことを特徴とする請求項３に記載の遊技機。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
所定の復帰条件が成立することで通常の遊技状態に自動復帰可能な第１の異常状態を報知する第１の報知手段と、
所定の修復又は部品交換を必要とし、当該修復又は部品交換後にリセット手段によるリセット操作を行うことで通常の遊技状態に復帰可能な第２の異常状態を報知する第２の報知手段と、
前記第１の異常状態及び第２の異常状態以外の第３の異常状態を教示する教示手段とを備え、
前記第１の報知手段は、本体の前面側に設けられ、
前記第２の報知手段は、本体の裏面側に設けられ、
前記教示手段は、前記第３の異常状態が発生した事実を、前記第１の異常状態又は第２の異常状態とは区別して視覚的に教示可能であって、かつ、遊技機本体の前面側に設けられていることを特徴とする遊技機。
【請求項２】
前記本体は、外形を画定する外枠と、
前記外枠の一側部にて開閉可能に支持された前面枠と、
前記前面枠の前面側に設けられた透明部材扉体とを備え、
前記前面枠及び透明部材扉体のうち少なくとも一方の前面側に、前記教示手段を設けたことを特徴とする請求項１に記載の遊技機。
【請求項３】
前記第３の異常状態は複数種類あり、前記教示手段は表示手段によって構成され、該表示手段は、複数種類ある第３の異常状態の各種類に応じた教示態様で表示することを特徴とする請求項１又は２に記載の遊技機。
【請求項４】
前記教示手段により、前記第３の異常状態の教示が行われている最中に再度第３の異常状態が発生した場合、累積して第３の異常状態が発生した旨を視覚的に教示可能としたことを特徴とする請求項１乃至３のいずれかに記載の遊技機。
【請求項５】
前記教示手段による教示を解除するための解除操作手段と、
前記解除操作手段の解除操作が行われたことを検出する検出手段と、
前記検出手段の検出結果に基づき前記教示手段による教示を解除する教示解除制御手段とを備え、
前記解除操作手段を前記本体の前面側に設けたことを特徴とする請求項１乃至４のいずれかに記載の遊技機。
【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
鍵を用いて操作される錠を備えた遊技機において、
前記錠の鍵穴に鍵を差し込んで回動操作した後に、当該錠の状態を鍵穴から鍵を抜き取り可能な待機状態又はその待機状態に近い状態に強制復帰させるための復帰手段を設け、
前記錠には、その錠の錠軸と共に一体回動可能な可動片を設け、その可動片と錠の支持体又は錠の本体との間において前記可動片が所定の待機位置から所定方向に回動した際に伸張可能に設けられたバネにより、前記復帰手段を構成したことを特徴とする遊技機。
【請求項２】
前記バネは、前記可動片が待機位置に配置された状態において、錠の錠軸と該バネの非可動片側端部とを結ぶ仮想線上に該バネの可動片側端部が位置するように設けられていることを特徴とする請求項１記載の遊技機。
【請求項３】
開閉部材及びその開閉部材を施錠する施錠装置を備えた遊技機において、
前記施錠装置は、鍵を用いて操作される錠と、その錠の錠軸と共に一体回動可能な可動片と、その可動片に作動連結すると共に可動片の動きに応じて当該施錠装置の施錠又は解錠の状態を切替え可能な施解錠機構と、鍵による錠の回動操作後に前記可動片を錠の鍵穴から鍵を抜き取り可能な待機位置又はその近傍に強制復帰させるための復帰手段とを備え、
前記復帰手段を、施錠機構の枠体又は錠の本体と前記可動片との間において、前記可動片が前記待機位置から所定方向に回動した際に伸張可能に設けられたバネにより構成したことを特徴とする遊技機。
【請求項４】
前記バネは、前記可動片が待機位置に配置された状態において、錠の錠軸と該バネの非可動片側端部とを結ぶ仮想線上に該バネの可動片側端部が位置するように設けられていることを特徴とする請求項３記載の遊技機。
【請求項５】
前記施解錠機構を施錠側へ付勢するバネを前記復帰手段のバネとは別個に設けるとともに、前記可動片と前記施解錠機構との作動連結関係は、可動片が前記待機位置に配置されるときに両者間に所定の遊びが確保されるように構築されていることを特徴とする請求項３又は４に記載の遊技機。
【請求項６】
前記遊技機は、前記開閉部材としての第１及び第２の開閉部材を備えており、前記可動片は、その動きに応じて前記施解錠機構と選択的に作動連結可能な第１腕部及び第２腕部を有し、前記施解錠機構は、可動片の第１腕部との作動連結時に第１開閉部材を解錠可能とする第１開閉部材用施解錠機構と、可動片の第２腕部との作動連結時に第２開閉部材を解錠可能とする第２開閉部材用施解錠機構とから構成されており、前記可動片が前記待機位置に配置されるときに、可動片の第１腕部と第１開閉部材用施解錠機構との間に所定の遊びが確保されると共に、可動片の第２腕部と第２開閉部材用施解錠機構との間にも所定の遊びが確保されるように、前記可動片と前記施解錠機構との作動連結関係が構築されていることを特徴とする請求項３，４又は５に記載の遊技機。
【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
遊技媒体の投入により遊技が行われる遊技機であって、
前記遊技媒体とは異なる抽選用媒体の演出領域を有すると共に該演出領域での前記抽選用媒体の動作によって抽選を行う抽選装置を備え、該抽選装置の抽選結果に基づいて、遊技者に有利な特別遊技状態を発生させる遊技機であり、
前記抽選装置は、前記演出領域に設けられた特定部位に前記抽選用媒体が到達するか否かによって抽選を行うものであり、
前記特定部位は、前記演出領域内にて上下動するものであり、
前記抽選用媒体として、形態が異なる複数種類のものが用いられる
ことを特徴とする遊技機。
【請求項２】
前記特定部位は、駆動装置によって前記演出領域にて上下動し、前記抽選用媒体が入賞可能な入賞口であり、
前記入賞口の下流側に設けられ、前記抽選用媒体の前記入賞口への入賞を検知する検知装置を備え、
該検知装置の検知に基づいて前記特別遊技状態を発生させる
ことを特徴とする請求項１に記載の遊技機。
【請求項３】
前記演出領域にて前記抽選用媒体を斜め上方に打ち出す発射装置を備えることを特徴とする請求項１または請求項２に記載の遊技機。
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
遊技盤に表示装置を備え、
前記表示装置が、表示部と、その周囲を囲むセンターフレームとを備えてなる遊技機であって、
前記センターフレームは、基枠部材と、当該基枠部材に組付けられる複数の構成部材とを備え、
前記複数の構成部材のうちの特定構成部材を所定の固定手段によって前記基枠部材に固定することにより、他の構成部材が前記基枠部材に係止されるようにしたことを特徴とする遊技機。
【請求項２】
遊技盤に表示装置を備え、
前記表示装置は、表示部と、その周囲を囲むセンターフレームとを備え、
前記センターフレームは、その周辺部に沿って球案内流路を備えてなる遊技機であって、
前記センターフレームは、基枠部材と、
前記基枠部材の上辺部において前記球案内流路の一部を構成する上部流路部材と、
前記基枠部材の側辺部において前記球案内流路の一部を構成する側部流路部材と、
前記球案内流路の一部を構成し、かつ、前記上部流路部材及び側部流路部材に連接される連通路部材と、
前記基枠部材の下辺部において遊技球の転動を許容する特定ステージ部材とを備え、
前記特定ステージ部材が、前記基枠部材に係合されるとともに、少なくとも前記センターフレームの後方向へ移動不能となるよう構成され、
前記側部流路部材が、前記特定ステージ部材をその前側より係止しつつ、後方向へ移動不能となるよう前記基枠部材に係合され、
前記連通路部材が、前記側部流路部材にその前側より係合され、
前記上部流路部材が、前記連通路部材を前側より係止しつつ所定の固定手段により前記基枠部材に固定されていることを特徴とする遊技機。
【請求項３】
前記側部流路部材及び特定ステージ部材は、それぞれ一対の突部を有し、
前記基枠部材は、前記各一対の突部に対応する一対の溝部を有し、
前記側部流路部材及び特定ステージ部材は、それぞれ前記一対の突部が前記基枠部材の前側より前記一対の溝部に嵌入されることにより、前記基枠部材に係合されていることを特徴とする請求項２に記載の遊技機。
【請求項４】
前記特定ステージ部材の前側において、当該特定ステージ部材と連接される前方ステージ部材を備え、
前記前方ステージ部材が、前記特定ステージ部材及び側部流路部材を前側より係止しつつ所定の固定手段により前記基枠部材に固定されていることを特徴とする請求項２又は３に記載の遊技機。
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
麻雀牌に内蔵された非接触型ＩＣチップの牌種ＩＤを麻雀卓に内蔵された麻雀牌読取装置で読取ることにより和了点数を自動的に算出する麻雀和了点数算出方法であって：該麻雀和了点数算出方法は、
麻雀牌検出スイッチを動作させる段階；
前記麻雀牌検出スイッチの動作により、前記麻雀牌読取装置から和了牌に対して牌種ＩＤを送信する段階；
前記送信された牌種ＩＤを有する非接触型ＩＣチップから牌種ＩＤが一致したとの応答を前記麻雀牌読取装置に返信する段階；
前記麻雀牌読取装置が前記応答に基づいて和了牌を読み取る段階；
前記麻雀牌読取装置が前記読取られた和了牌から和了点数を算出する段階；
からなる、麻雀和了点数算出方法。
【請求項２】
和了牌整列スペースの左側に整列された牌を面前牌として読み取り、和了牌整列スペースの右側に整列された牌を副露牌として読み取る、請求項１の麻雀和了点数算出方法。
【請求項３】
顧客カードを用い、和り点の算出・集計に適用するルールを、顧客カードから得る段階を有する、請求項１の麻雀和了点数読み取り方法。
【請求項４】
麻雀牌自動築牌装置に麻雀牌読み取り装置を設け、自動築牌時に築牌される牌種を読み取る、請求項１の麻雀和了点数読み取り方法。
【請求項５】
前記顧客カードに顧客ごとのデータを格納した非接触型ＩＣが埋設され、前記データにより顧客ごとのデータを管理する、請求項４の麻雀和了点数読み取り方法。
【請求項６】
麻雀牌に内蔵された非接触型ＩＣチップの牌種ＩＤを麻雀卓に内蔵された麻雀牌読取装置で読取ることにより和了点数を自動的に算出する麻雀和了点数算出方法であって：該麻雀和了点数算出方法は、
麻雀牌検出スイッチを動作させる段階；
前記麻雀牌検出スイッチの動作により、前記麻雀牌読取装置から和了牌に対して牌種ＩＤを送信する段階；
前記送信された牌種ＩＤを有する非接触型ＩＣチップから牌種ＩＤを返信する段階；
前記麻雀牌読取装置が前記応答に基づいて和了牌を読み取る段階；
前記麻雀牌読取装置が前記読取られた和了牌から和了点数を算出する段階；
からなる、麻雀和了点数算出方法。
【請求項７】
和了牌整列スペースの左側に整列された牌を面前牌として読み取り、和了牌整列スペースの右側に整列された牌を副露牌として読み取る、請求項６の麻雀和了点数算出方法。
【請求項８】
顧客カードを用い、和り点の算出・集計に適用するルールを、顧客カードから得る段階を有する、請求項６の麻雀和了点数読み取り方法。
【請求項９】
麻雀牌自動築牌装置に麻雀牌読み取り装置を設け、自動築牌時に築牌される牌種を読み取る、請求項６の麻雀和了点数読み取り方法。
【請求項１０】
前記顧客カードに顧客ごとのデータを格納した非接触型ＩＣが埋設され、前記データにより顧客ごとのデータを管理する、請求項８の麻雀和了点数読み取り方法。
【請求項１１】
麻雀牌に内蔵された非接触型ＩＣチップの牌種ＩＤを麻雀卓に内蔵された麻雀牌読取装置で読取ることにより和了点数を自動的に算出する麻雀和了点数算出方法であって：該麻雀和了点数算出方法は、
麻雀牌検出スイッチを動作させる段階；
前記麻雀牌検出スイッチの動作により、前記麻雀牌読取装置から和了牌に対して牌種ＩＤの送信を求める段階；
前記非接触型ＩＣチップから牌種ＩＤを送信する段階；
前記麻雀牌読取装置が前記応答に基づいて和了牌を読み取る段階；
前記麻雀牌読取装置が前記読取られた和了牌から和了点数を算出する段階；
からなる、麻雀和了点数算出方法。
【請求項１２】
和了牌整列スペースの左側に整列された牌を面前牌として読み取り、和了牌整列スペースの右側に整列された牌を副露牌として読み取る、請求項１１の麻雀和了点数算出方法。
【請求項１３】
顧客カードを用い、和り点の算出・集計に適用するルールを、顧客カードから得る段階を有する、請求項１１の麻雀和了点数読み取り方法。
【請求項１４】
麻雀牌自動築牌装置に麻雀牌読み取り装置を設け、自動築牌時に築牌される牌種を読み取る、請求項１１の麻雀和了点数読み取り方法。
【請求項１５】
前記顧客カードに顧客ごとのデータを格納した非接触型ＩＣが埋設され、前記データにより顧客ごとのデータを管理する、請求項１３の麻雀和了点数読み取り方法。
【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
皮膚表面に粘着する  ばんそこうテ−プと傷患部に接する布パッドの間に、布パッド程度の面積で紙ないし樹脂からなる衝撃保護を目的としたボ−ド入れ、そのボ−ドには柔軟性を高めるため数箇所の切れ込みが有り、通気性を保つため微細な穴を多数開けている。
以上の構成を特長とする衝撃保護ばんそこう傷テ−プ。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
入賞口を有する遊技盤の前面側において開閉可能に支持された第１の扉体と、
前記第１の扉体よりも前面側において開閉可能に支持された第２の扉体とを備え、
前記第１の扉体の施錠状態を解除するための鍵部を前記第２の扉体で非露出状態に被覆したことを特徴とする遊技機。
【請求項２】
前記第１の扉体は、外部から前記遊技盤を視認可能とするための透明部材を有する透明部材支持枠であり、
前記第２の扉体は、前記透明部材支持枠の前面側に設けられ、遊技盤の遊技領域の視認を許容するための開口を有する装飾枠であることを特徴とする請求項１に記載の遊技機。
【請求項３】
前記鍵部は、前記第２の扉体が所定開度以上開かれた場合にのみ操作可能となっていることを特徴とする請求項１又は２に記載の遊技機。
【請求項４】
前記第１の扉体は、前記第２の扉体の支持部とは反対側の支持部にて支持されていることを特徴とする手段１乃至３のいずれかに記載の遊技機。
【請求項５】
外枠に対し開閉可能に支持された前面枠と、
前記前面枠に装着され、入賞口を有する遊技盤とを備えた遊技機であって、
前記遊技盤の前面側において前記前面枠に対し開閉可能に支持され、外部より前記遊技盤を視認可能とするための透明部材を有する透明部材支持枠と、
前記透明部材支持枠の前面側にて、前記前面枠に対し開閉可能に支持され、前記遊技盤の遊技領域の視認を許容するべく開口を有してなる装飾枠とを具備し、
少なくとも前記透明部材支持枠の施錠状態を解除するための鍵部が設けられており、該鍵部はキーの差し込まれる鍵穴を有しており、前記装飾枠は自身の閉状態にあって前記鍵穴を塞ぐことを特徴とする遊技機。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
外枠に対し開閉可能に支持された前面枠と、
前記前面枠に装着され、入賞装置を備える遊技盤とを備えた遊技機であって、
前記遊技盤の前面側において、前記前面枠に対し開閉可能に支持され、外部より前記遊技盤を視認可能とするための透明部材を有する透明部材支持枠と、
前記透明部材支持枠の前面側にて、前記前面枠に対し開閉可能に支持され、前記遊技盤の遊技領域の視認を許容するべく開口を有する装飾枠とを具備し、
前記透明部材支持枠及び装飾枠の閉鎖状態にあって、
少なくとも前記透明部材支持枠及び装飾枠間の隙間を閉ざすよう、前記遊技盤を囲む環状又は略環状のリブを設けたことを特徴とする遊技機。
【請求項２】
前記リブは、前記装飾枠の後面から前記透明部材支持枠側に向かって突出することで前記透明部材支持枠及び装飾枠間の隙間を閉ざす装飾枠リブであることを特徴とする請求項１に記載の遊技機。
【請求項３】
前記前面枠には、前記装飾枠リブに対向し、前記装飾枠リブの先端部を収容可能な凹部を設けたことを特徴とする請求項２に記載の遊技機。
【請求項４】
前記リブは、前記前面枠の前面において、前記装飾枠側に向かって突出することで前記透明部材支持枠及び装飾枠間の隙間を閉ざす前面枠リブであることを特徴とする請求項１乃至３のいずれかに記載の遊技機。
【請求項５】
前記装飾枠には、前記前面枠リブに対向し、前記前面枠リブの先端部を収容可能な凹部を設けたことを特徴とする請求項４に記載の遊技機。
【請求項６】
前記透明部材支持枠は前記透明部材を支持するための支持フレームを有し、前記リブは、前記支持フレームの前面において、前記装飾枠側に向かって突出することで前記透明部材支持枠及び装飾枠間の隙間を閉ざす支持フレームリブであることを特徴とする請求項１乃至５のいずれかに記載の遊技機。
【請求項７】
前記装飾枠には、前記支持フレームリブに対向し、前記支持フレームリブの先端部を収容可能な凹部を設けたことを特徴とする請求項６に記載の遊技機。
【手続補正書】
【提出日】平成16年4月6日(2004.4.6)
【手続補正１】
【補正対象書類名】明細書
【補正対象項目名】請求項２
【補正方法】変更
【補正の内容】
【請求項２】
前記第１プーリを回転可能に受ける軸受部材を備え、前記位置決め手段は、前記基体に設けた貫通孔と、前記軸受部材に設けたネジ孔とからなることを特徴とする請求項１に記載の製パン機。
【手続補正２】
【補正対象書類名】明細書
【補正対象項目名】０００９
【補正方法】変更
【補正の内容】
【０００９】
前記製パン機では、前記第１プーリを回転可能に受ける軸受部材を備え、前記位置決め手段は、前記基体に設けた貫通孔と、前記軸受部材に設けたネジ孔とからなる構成とすることが好ましい。このようにすれば、貫通孔を通してネジ孔にネジを締め付けることにより、第１プーリと第２プーリとの間隔を微調整可能とすることができる。そのため、エンドレスベルトに寸法誤差があっても確実に張設した状態に調整することができる。


【手続補正３】
【補正対象書類名】明細書
【補正対象項目名】００１７
【補正方法】変更
【補正の内容】
【００１７】
具体的には、図２（Ａ），（Ｂ）および図４に示すように、上面部１９の略中央には、軸受部材１５の取付孔２１が切り起こして設けられている。この取付孔２１は、その内部で軸受部材１５が移動できるように、駆動モータ１１とは反対側から内部に向けて大きく切り起こして形成されている。また、前記取付孔２１の周囲には、前記プーリ１６，１７が接離する方向に延びる長円形状をなす一対のガイド溝２２が設けられている。さらに、前記取付孔２１の周囲には、所定間隔をもって軸受部材１５を移動不可能な状態に固定するための貫通孔２３が設けられている。